(57)【要約】【課題】  画像形成装置の既存の画像読取機構をそのまま利用して指紋認証を行うことにより、不正使用を防止すると共に使用者を限定して印刷処理を実行することができる画像形成装置を提供する。【解決手段】  ＭＦＰ１のコンタクトガラス（図示せず）に手のひら１１をかざすと、距離測定手段２がコンタクトガラスから手のひら１１までの距離を測定する。その測定距離が所定の範囲内にあるときは、表示手段３が緑色ランプを点灯させると共に、ＣＣＤ等の光学的読取手段４が手のひら１１をスキャンし特定の指の指紋を読み取る。そして、読み取られた画像は読取指紋画像として画像取得手段５に取得される。さらに、画像照合手段７が読取指紋画像と記憶手段６に登録されている登録指紋画像とを比較照合する。比較照合の結果において読取指紋画像と登録指紋画像とが一致すれば、指紋認証手段８が正当である旨の指紋認証を行い、印刷ジョブによる印刷の実行を許可する。【選択図】      図１
2006146395.tif 000002
【特許請求の範囲】
【請求項１】
指紋認証を行ってから画像形成を実行する画像形成装置であって、
コンタクトガラスからそのコンタクトガラスにかざした手のひらまでの距離を測定する距離測定手段と、
前記コンタクトガラスから前記手のひらまでの測定距離が所定の範囲内にあるときにその手のひらをスキャンして光学的に指紋を読み取る光学的読取手段と、
前記光学的読取手段が読み取った指紋を読取指紋画像として取得する画像取得手段と、
あらかじめ登録された登録指紋画像を格納する記憶手段と、
前記画像取得手段が取得した読取指紋画像と前記記憶手段に格納されている登録指紋画像との照合を行う画像照合手段と、
前記画像照合手段による指紋照合の結果、前記読取指紋画像と前記登録指紋画像とが一致したときに正当である旨の指紋認証を行い、印刷の実行を許可する指紋認証手段と、
を備えたことを特徴とする画像形成装置。
【請求項２】
さらに、前記距離測定手段が測定した前記コンタクトガラスから前記手のひらまでの測定距離が所定の範囲内にあるときと、所定の範囲外にあるときとで異なったモードの表示を行う表示手段を備えることを特徴とする請求項１に記載の画像形成装置。
【請求項３】
前記光学的読取手段、前記画像取得手段、前記記憶手段、及び前記画像照合手段は、本来の画像形成のために備えられているものが利用されることを特徴とする請求項１または請求項２のいずれかの項に記載の画像形成装置。
【請求項４】
指紋認証を行ってから画像形成を実行する画像形成装置の指紋認証方法であって、
コンタクトガラスからそのコンタクトガラスにかざした手のひらまでの距離を測定する手順と、
前記コンタクトガラスから前記手のひらまでの距離が所定の範囲内にあるか否かを判定する手順と、
前記コンタクトガラスから前記手のひらまでの距離が所定の範囲内にあるときにその手のひらをスキャンして光学的に指紋を読み取る手順と、
読み取られた指紋を読取指紋画像として取得する手順と、
前記読取指紋画像とあらかじめ登録されている登録指紋画像との比較照合を行う手順と、
前記比較照合の結果、前記読取指紋画像と前記登録指紋画像とが一致したときに正当である旨の指紋認証を行い、印刷の実行を許可する手順と、
を含むことを特徴とする画像形成装置の指紋認証方法。
【発明の詳細な説明】
【技術分野】
【０００１】
本発明は、プリンタ、複写機、及びこれらの機能が複合化されたＭＦＰ（Multi Function Printer：複合機）などの画像形成装置等に関し、特に、指紋認証を行ってから画像形成を実行する画像形成装置、及び画像形成装置における指紋認証方法に関する。
【背景技術】
【０００２】
従来より、会社などにおいて、各部門で共同の複写機やＭＦＰを利用して印刷処理を行う場合は、部や課ごとに印刷枚数を管理して課金処理が行われている。この場合、各部門ごとに発行された磁気カードを使用して印刷を行うことにより、複写機やＭＦＰの使用部門を特定して部門ごとに管理しながら課金処理を行っている。あるいは、部門ごとの暗証番号を複写機やＭＦＰに入力して使用部門を特定しながら印刷処理を行っている。これによって、複写機やＭＦＰを利用した部課ごとに課金処理を行うことができ、かつ複写機やＭＦＰの不正使用を防止することもできる。
【０００３】
また、このように部門ごとの課金処理を行う用途に利用される複写機としては、複写機の電源スイッチ又はコピースイッチに指紋読取部を設け、使用者が電源スイッチ又はコピースイッチの操作を開始したときに指紋読取部が指紋を読み取って指紋認証を行い、複写機の使用者を限定しながら印刷処理を実行する技術も開示されている（例えば、特許文献１参照）。この技術によれば、複写機を使用するときには必ず電源スイッチ又はコピースイッチに指を触れるので、複写機にいちいち磁気カードを挿入したり暗証番号を入力したりして認証を行わなくても、あらかじめ指紋を登録しておけば自動的に指紋認証が行われてから印刷が開始されるので、複写機におけるユーザの使い勝手が一段とよくなる。さらには、より高いレベルで複写機の不正使用を防止することができる。
【特許文献１】特開２０００−１６５３７８号公報（段落番号００１４、００３７、図１及び図３参照）
【発明の開示】
【発明が解決しようとする課題】
【０００４】
しかしながら、上記の従来技術のように磁気カードを用いて印刷処理を行う場合は、複写機を利用した後に磁気カードを複写機から抜き忘れたり、部門の共同利用であるために保管管理がおろそかになって磁気カードを紛失したりしてしまうことがある。その結果、他の部門の者に磁気カードが不正使用されたりして正確な課金管理を行うことができなくなるおそれもある。また、暗証番号は一般的には個人ごとに管理するものであるので、一つの部門で多数の者が共通の暗証番号を用いて複写機を使用することは、暗証番号の機密管理が極めて難しく、他の部門に漏洩して暗証番号を不正使用されやすい。
【０００５】
さらに、上記の特許文献１に開示された技術においては、電源スイッチやコピースイッチにＣＣＤ（Charge Coupled Device：撮像素子）などから構成される指紋読取部を設けているので、既存の電源スイッチやコピースイッチを使用することはできない。つまり、指紋読取部付きのスイッチを用意するなど、かなり複雑な部品を別途に用意しなければならないので、結果的に複写機がコストアップしてしまう。さらには、この技術による複写機は、電源スイッチやコピースイッチに設けられた指紋読取部に特定の指や手のひらを接触させ、そこから読み取った指紋を用いて認証システムが照合を行うものであるので、指紋読取部が指や手のひらで汚れてしまい、正確に指紋を読み取ることができない場合も生じる。
【０００６】
本発明は、以上のような問題点に鑑みてなされたものであり、画像形成装置の既存の画像読取機構をそのまま利用して指紋認証を行うことにより、不正使用を防止すると共に使用者を限定して印刷処理を実行することができる複写機やＭＦＰなどの画像形成装置を提供することを目的とする。
【課題を解決するための手段】
【０００７】
本発明の画像形成装置は、前記の目的を達成するために創案されたものであり、指紋認証を行ってから画像形成を実行する画像形成装置であって、コンタクトガラスからそのコンタクトガラスにかざした手のひらまでの距離を測定する距離測定手段と、コンタクトガラスから手のひらまでの測定距離が所定の範囲内にあるときにその手のひらをスキャンして光学的に指紋を読み取る光学的読取手段と、光学的読取手段が読み取った指紋を読取指紋画像として取得する画像取得手段と、あらかじめ登録された登録指紋画像を格納する記憶手段と、画像取得手段が取得した読取指紋画像と記憶手段に格納されている登録指紋画像との照合を行う画像照合手段と、画像照合手段による指紋照合の結果、読取指紋画像と登録指紋画像とが一致したときに正当である旨の指紋認証を行い、印刷の実行を許可する指紋認証手段とを備える構成とした。
【０００８】
かかる構成によれば、手のひらをコンタクトガラスに非接触でかざせば、手のひらが所定の範囲内にあるときに、ＣＣＤなどの光学的読取手段がその手のひらをスキャンして所定の指（例えば親指）の指紋を読み取る。そして、画像照合手段が、いま読みられた指紋による読取指紋画像とあらかじめ登録されていてメモリなどの記憶手段に格納されている登録指紋画像との比較照合を行う。さらに、比較照合の結果、読取指紋画像と登録指紋画像とが一致していれば、指紋認証手段が正当である旨の指紋認証を行って印刷の実行を許可する。これによって、通常の印刷ジョブ動作が開始されるので印刷処理を実行することができる。したがって、画像形成装置の不正使用を防止しつつ、印刷処理を行った個人ごとの課金管理などを行うことができる。
【０００９】
また、本発明の画像形成装置は、前記発明の構成に加えて、さらに、前記距離測定手段が測定したコンタクトガラスから手のひらまでの測定距離が所定の範囲内にあるときと、所定の範囲外にあるときとで異なったモードの表示を行う表示手段を備える構成とした。
【００１０】
かかる構成によれば、例えば、コンタクトガラスから手のひらまでの測定距離が所定の範囲内にあるときは緑色のランプを点灯させ、コンタクトガラスから手のひらまでの測定距離が所定の範囲外にあるときは赤色のランプを点灯させれば、ユーザはランプの表示状態を確認して手のひらを正しい位置（つまり、所定の範囲内）に移動させることができるので、画像形成装置における認証操作の使い勝手が一段と向上する。さらに、赤色のランプが点灯しているときはブザーなどを鳴動させれば、手のひらを正しい位置へ移動させるための注意を喚起させるのでさらに使い勝手が向上する。なお、手のひらが所定の範囲内にあるかないかの表示モードは、緑色のランプと赤色のランプの点灯切り替えに限ることはなく、例えば、ランプの点灯と点滅など、手のひらが所定の範囲内にあるかないかを弁別できる表示モードであればどのような表示方法であってもよい。
【００１１】
また、本発明の画像形成装置は、前記発明の構成において、光学的読取手段、画像取得手段、記憶手段、及び画像照合手段は、本来の画像形成のために備えられているものが利用されることを特徴としている。
【００１２】
かかる構成によれば、複写機やＭＦＰなどの画像形成装置は、印刷処理を行うために、ＣＣＤなどの光学的読取手段や画像取得手段やメモリなどの記憶手段や画像照合手段を備えている。したがって、画像形成装置に備えられているこれらの既存の要素を指紋認証のために利用すれば、既存の画像形成装置に対して汎用の距離測定手段と指紋認証手段を付加するだけで指紋認証装置付きの画像形成装置を実現することができる。このようにして、従来の画像形成装置に対して若干の追加工を行うだけで指紋認証装置付きの画像形成装置に改造することができるので、付加価値の高い画像形成装置を比較的安価に製造することができる。
【００１３】
また、本発明による画像形成装置の指紋認証方法は、指紋認証を行ってから画像形成を実行する画像形成装置の指紋認証方法であって、コンタクトガラスからそのコンタクトガラスにかざした手のひらまでの距離を測定する手順と、コンタクトガラスから手のひらまでの距離が所定の範囲内にあるか否かを判定する手順と、コンタクトガラスから手のひらまでの距離が所定の範囲内にあるときにその手のひらをスキャンして光学的に指紋を読み取る手順と、読み取られた指紋を読取指紋画像として取得する手順と、読取指紋画像とあらかじめ登録されている登録指紋画像との比較照合を行う手順と、比較照合の結果、読取指紋画像と登録指紋画像とが一致したときに正当である旨の指紋認証を行い、印刷の実行を許可する手順とを含むことを特徴としている。
【発明の効果】
【００１４】
本発明の画像形成装置によれば、既存のＣＣＤなどの画像読取装置を利用して指紋の読取を行うことができるので、従来から汎用されている距離測定手段と指紋認証手段を付加するだけで指紋認証を行うことができる。そして、指紋認証の結果が正当であれば、通常の印刷ジョブ動作によって印刷処理を実行することができる。これによって、共同で利用する複写機やＭＦＰにおいて各部門ごとの課金管理を容易に行うことができると共に、高いレベルで不正使用を防止することができる。また、本発明の画像形成装置によれば、コンタクトガラスに非接触で手をかざすだけで指紋認証を行うことができるので、コンタクトガラスを汚すおそれがない。したがって、常に、画像を鮮明に印刷することができる。
【発明を実施するための最良の形態】
【００１５】
＜発明の概要＞
本発明の画像形成装置は、コンタクトガラスに非接触で手のひらをかざすことにより、コンタクトガラスから手のひらまでの距離が所定の範囲内にあるとき、既存の画像読取り用のスキャナが指紋を読み取って画像認識を行う。そして、指紋認証手段が、読み取られた読取指紋画像とあらかじめ登録されている登録指紋画像とを照合して指紋認証を行い、指紋認証の結果が正常であれば通常の印刷ジョブによる印刷処理を許可する。これによって、画像形成装置は、通常の印刷ジョブ動作によって印刷処理を実行する。ここで、本発明の画像形成装置では、手のひらをコンタクトガラスに当てることなく、手のひらをかざすだけで指紋の認証を行うことができるので、コンタクトガラスが汚れるおそれはない。したがって、スキャナは、正確に指紋を読み取ることができると共に、鮮明な画像の印刷処理を行うことができる。
【００１６】
＜実施の形態＞
以下、図面を参照しながら、本発明における画像形成装置の実施の形態について、ＭＦＰを例に挙げて詳細に説明する。図１は、本発明の画像形成装置（ＭＦＰ）における指紋認証部分の構成を示すブロック図である。なお、図１のＭＦＰ１では、通常の印刷処理を行うための印刷ジョブの構成要素は周知の技術であるので省略してある。
【００１７】
図１において、ＭＦＰ１は、図示しないコンタクトガラスからそのコンタクトガラスにかざした手のひら１１までの距離を測定する距離測定手段２と、距離測定手段２が測定したコンタクトガラスから手のひら１１までの距離が所定の範囲内にあるときは緑色を点灯させ、所定の範囲外にあるときに赤色を点灯させるランプなどの表示手段３と、コンタクトガラスから手のひら１１までの距離が所定の範囲内にあるときに手のひら１１をスキャンして光学的に指紋を読み取るＣＣＤなどの光学的読取手段４と、光学的読取手段４が読み取った指紋を読取指紋画像として取得する画像取得手段５と、あらかじめ登録された登録指紋画像を格納する記憶手段６と、画像取得手段５が取得した読取指紋画像と記憶手段６に格納されている登録指紋画像との照合を行う画像照合手段７と、画像照合手段７による指紋照合の結果、読取指紋画像と登録指紋画像とが一致したときに正当である旨の指紋認証を行い、印刷の実行を許可する指紋認証手段８と、画像形成装置１の各要素の制御を行う制御手段９と、を備えた構成となっている。
【００１８】
次に、図１に示すＭＦＰ１における指紋認証動作を概略的に説明する。ユーザがＭＦＰ１のコンタクトガラス（図示せず）に手のひら１１をかざすと、距離測定手段２がコンタクトガラスから手のひら１１までの距離を測定する。その測定距離が所定の範囲内にあるときは、表示手段３が緑色ランプを点灯させると共に、ＣＣＤなどの光学的読取手段４が手のひら１１をスキャンして特定の指の指紋を読み取る。そして、読み取られた画像は読取指紋画像として画像取得手段５に取得される。さらに、画像照合手段７が、読取指紋画像と記憶手段６に登録されている登録指紋画像とを比較照合する。比較照合の結果において読取指紋画像と登録指紋画像とが一致していれば、指紋認証手段８が一致している旨の指紋認証を行い、印刷の実行を許可する。
【００１９】
図２は、図１に示すＭＦＰ１における指紋認証の動作の流れを示すフローチャートである。したがって、図１のＭＦＰ１の構成図を参照しながら、図２のフローチャートを用いてＭＦＰ１による指紋認証の動作の流れを詳細に説明する。
【００２０】
まず、手のひら１１を図示しないコンタクトガラスに非接触でかざすと、距離測定手段２がコンタクトガラスから手のひら１１までの距離を測定する（ステップＳ１）。ここで、コンタクトガラスから手のひら１１までの距離は正常範囲であるか否かの判定が行われ（ステップＳ２）、手のひら１１がコンタクトガラスに近すぎたり遠すぎたりして正常範囲内にないときは（ステップＳ２でＮｏの場合）、表示手段３が赤色ランプを点灯させる（ステップＳ３）。これによって、ユーザは手のひら１１の位置を変え、ステップＳ２に戻って、再びコンタクトガラスから手のひら１１までの距離は正常範囲であるか否かの判定を行う。
【００２１】
このようにして、手のひら１１が正常範囲（例えば、コンタクトガラスから５ｃｍ〜１０ｃｍの範囲）に入ってくると（ステップＳ２でＹｅｓの場合）、表示手段３は緑色ランプを点灯させる（ステップＳ４）。すると、ＭＦＰ１の既存のスキャナ（図示せず）が動作を開始し、ＣＣＤなどの光学的読取手段４が手のひら１１をスキャンしながら特定の指（例えば、人差指）の指紋を読み取る（ステップＳ５）。そして、読み取られた指紋は、画像取得手段５によって読取指紋画像として取得される（ステップＳ６）。
【００２２】
次に、画像照合手段７が、記憶手段６にあらかじめ登録されている登録指紋画像と画像取得手段５が取得した読取指紋画像との比較照合を行い、照合結果が正常であるか否かの判定を行う（ステップＳ７）。ここで、登録指紋画像と読取指紋画像とが不一致で照合結果が異常であれば（ステップＳ７でＮｏの場合）、異常である旨を報知して、それ以降の印刷ジョブの動作を停止させる（ステップＳ８）。
【００２３】
一方、ステップＳ７において、登録指紋画像と読取指紋画像とが一致していて照合結果が正常であれば（ステップＳ７でＹｅｓの場合）、指紋認証手段８が正当である旨の指紋認証を行って印刷ジョブ機構（図示せず）に対して印刷の実行を許可する（ステップＳ９）。なお、このような一連の動作は、ＣＰＵを備えている制御手段９の制御によって行われる。これによって、あらかじめ指紋を登録しているユーザのみが印刷を行うことができるので、ユーザごとに課金処理を行うことができると共に、ＭＦＰ１の不正使用を防止することができる。
【００２４】
つまり、本発明の指紋認証処理においては、手のひら１１をコンタクトガラスにかざす際に、コンタクトガラスに近づけた手のひら１１の位置を距離測定手段２のセンサが検出し、手のひら１１が適正な範囲内にあるときに表示手段３が緑色ランプを点灯させ、その後にスキャナを動作させて指紋の読み取りを行い、指紋照合を経て指紋認証を実行している。また、手のひら１１がコンタクトガラスに近すぎたり遠すぎたりすると、表示手段３が赤色ランプを点灯させてその後のスキャナの動作を停止させている。なお、表示手段３の点灯方法は、手のひら１１が正常範囲にあるときは表示手段３を点灯させ、異常範囲にあるときは点滅させるなど、手のひら１１が正常範囲にあるときと異常範囲にあるときとの弁別ができるような点灯方法であればどのような方法であっても構わない。また、手のひら１１が異常範囲にあるときは警告音の鳴動などを併用してもよい。
【００２５】
次に、本発明の特徴である手のひら１１の位置を検出する距離測定手段２の具体的な構成例を説明する。距離測定手段２は、例えば、シャープ（登録商標）製の測距センサユニットを用いることができる。このような測距センサユニットとしては、例えば、ＰＳＤ（Position Sensitive Detector：半導体位置検出素子）、赤外線ＬＥＤ、及び信号処理回路を一体化して、８ｂｉｔのシリアル出力能力を有するＧＰ２Ｄ０２などの測距センサユニットが汎用されている。
【００２６】
このＧＰ２Ｄ０２の大きさは、３７×１４×(高さ)１４.４〔ｍｍ〕程度であるので、既存のＭＦＰに容易に取り付けることができる。このようなＧＰ２Ｄ０２は、反射物からの反射特性が極めてよいので、高精度に距離を測定することができる。つまり、レンズの光学部分を通した光が距離の測定レンジに変換されるので極めて高精度に距離を測定することができる。また、ＯＦＦ時の電流は３μＡ程度ときわめて小さいので低消費電力型である。
【００２７】
図３は、市販のＧＰ２Ｄ０２による測距センサユニットの概略的な回路構成図である。図３に示すように、測距センサユニット２１は、安定化電源であるレギュレータ２２、ＬＥＤ２３の発光制御を行うＬＥＤドライバ２４、反射物３０から反射した光を位置検出情報として検出する位置検出部２５、位置検出部２５が検出した光の位置検出情報を信号列に変換する信号列回路２６、及び測距センサユニット２１の各要素を制御すると共に、Ｖｉｎの信号入力に基づいて反射物３０からの距離に応じた８ｂｉｔの信号列の出力信号Ｖｏｕｔを出力する制御回路２７を備えた構成となっている。
【００２８】
図４は、図３の制御回路２７に入出力される信号波形のタイムチャート図である。つまり、この図は、反射物３０からの距離を測定するための測定信号として制御回路２７のＶｉｎ端子へ入力した入力信号Ｖｉｎと、反射物３０からの測定距離に応じてＶｏｕｔ端子から出力される出力信号Ｖｏｕｔとの関係を示している。図３に示す測距センサユニット２１の制御回路２のＶｉｎ端子から図４の上図のような測距信号（入力信号）Ｖｉｎを入力すると、制御回路２のＶｏｕｔ端子から図４の下図のような測定距離に応じた出力信号Ｖｏｕｔが出力される。この出力信号Ｖｏｕｔは、入力信号Ｖｉｎのパルスのタイミングに対応して、ＬＳＢ（Least Significant Bit：最も重み付けの小さい最下位ビット）からＭＳＢ（Most Significant Bit：最も重み付けの大きい最上位ビット）までの８ビットの信号が測定距離に応じて出力される。
【００２９】
図５は、図３の測距センサユニット２１で反射物３０からの距離を測定したときの反射物３０からの実距離に対する測定距離の関係を示す図である。横軸の反射物からの実距離Ｌはｃｍで示し、縦軸の測定距離の出力レベルはＤＥＣで示している。図５から分るように、測距センサユニット２１で反射物３０からの距離を測定する場合、反射物３０からの実距離Ｌが５ｃｍ〜３０ｃｍの範囲では測定感度が極めてよい。したがって、このような測距センサユニット２１をＭＦＰに搭載してコンタクトガラスから手のひらの位置まで距離を測定する場合は、手のひらがコンタクトガラスから５ｃｍ〜３０ｃｍの位置にあれば極めて高精度に手のひらまでの距離を測定することができる。
【００３０】
一方、図１に示すＣＣＤなどの光学的読取手段４は、手のひら１１がコンタクトガラスから０ｃｍ〜１０ｃｍの位置にあれば高精度に指紋を読み取ることができる。したがって、手のひら１１が５ｃｍ〜１０ｃｍの位置にあれば、距離測定手段２が手のひら１１の位置を高精度に測定することができると共に、光学的読取手段４が高精度に指紋を読み取ることができるので、本発明のＭＦＰでは、手のひら１１が５ｃｍ〜１０ｃｍの位置にあるときに正常範囲であると判定して、指紋の読み取り及び指紋認証を行うようにしている。
【００３１】
なお、上記の実施の形態では、距離測定手段を設けて手のひらがコンタクトガラスに対して所定の距離範囲にあるか否かを測定して、スキャン動作を行うか否かを決定しているが、このような方法に限定されるものではない。例えば、所定の厚さの透明ガラス台をコンタクトガラスの上に置き、その透明ガラス台の上に手のひらを載せてからスキャンを行えば、距離測定手段を用いなくても正常範囲に手のひらをおいて一度のスキャンで指紋認証動作を行うことができる。但し、この場合は、透明ガラス台がコンタクトガラスを傷つけないように工夫する必要がある。
【００３２】
また、一人のユーザが複数枚の印刷を行うときに、１枚の印刷ごとに指紋認証を行うか、一人のユーザによる１回の印刷処理ことに１回の指紋認証を行うかは、使い勝手上の問題であるので、その都度、約束ごととして決めておけばよい。そして、決められたように指紋認証モードを設定すればよい。
【産業上の利用可能性】
【００３３】
本発明の画像形成装置は、コンタクトガラスに手をかざすだけで指紋認証を行い、ユーザを特定して印刷許可を行うことができるので、会社やオフィスなどにおいて、各部門で共同利用しながら部門ごとに課金処理を行うような複写機やＭＦＰとして有効に利用することができる。
【図面の簡単な説明】
【００３４】
【図１】本発明の画像形成装置（ＭＦＰ）１における指紋認証部分の構成を示すブロック図である。
【図２】図１に示すＭＦＰ１における指紋認証の動作の流れを示すフローチャートである。
【図３】市販のＧＰ２Ｄ０２による測距センサユニットの概略的な回路構成図である。
【図４】図３の制御回路２７に入出力される信号波形のタイムチャート図である。
【図５】図３の測距センサユニットで反射物３０からの距離を測定したときの、反射物３０からの実距離Ｌに対する測定距離の関係を示す図である。
【符号の説明】
【００３５】
１      ＭＦＰ
２      距離測定手段
３      表示手段
４      光学的読取手段
５      画像取得手段
６      記憶手段
７      画像照合手段
８      指紋認証手段
９      制御手段
１１    手のひら
２１    測距センサユニット
２２    レギュレータ
２３    ＬＥＤ
２４    ＬＥＤドライバ
２５    位置検出部
２６    信号列回路
２７    制御回路
３０    反射物
【図１】
2006146395.tif 000003
【図２】
2006146395.tif 000004
【図３】
2006146395.tif 000005
【図４】
2006146395.tif 000006
【図５】
2006146395.tif 000007